(57)【要約】 【課題】ユーザが容易にファイルの内容を認識することができるファイル制御技術を提供する。【解決手段】コンピュータ装置１の制御部１１は、ファイルを保存する旨の操作が行われたことを検知すると、コンテンツデータを確定するとともに、文字タイトル情報を生成する。このとき、制御部１１は、音声タイトル情報の入力を促すメッセージを表示させる。ユーザにより音声が入力されると音声タイトル情報が生成され、制御部１１は、文字タイトル情報と音声タイトル情報とコンテンツデータとを対応付けて記憶部１２に記憶させる。そして、ファイルの一覧が表示されている画面においてファイルが選択する操作が行われると、制御部１１は、選択された文字タイトル情報と対応付けて記憶された音声タイトル情報を記憶部１２から読み出し、その音声をスピーカ１９から発音させる。【選択図】図２
2007148740.tif 000002
【特許請求の範囲】
【請求項１】
コンテンツデータが入力されるコンテンツデータ入力手段と、
前記コンテンツデータのタイトルを示すタイトルデータを生成するタイトルデータ生成手段と、
入力される音声に対応する音声データを生成する音声入力手段と、
前記コンテンツデータを、前記タイトルデータと前記音声入力手段が生成する音声データとに対応付けて記憶する記憶手段と、
前記記憶手段に記憶されたタイトルデータを表示する表示手段と、
前記表示手段に表示されたタイトルデータのうちのいずれか一つを選択する選択手段と、
前記選択手段により選択されたテキストデータに対応する音声データを前記記憶手段から読出し、読み出した音声データに基づいて音声を発音する発音手段と
を備えることを特徴とするファイル制御装置。
【請求項２】
前記コンテンツデータを前記記憶手段に記憶させる旨のコマンド信号を受けると、前記音声入力手段への音声入力を促す報知動作を行う報知手段を有し、
前記記憶手段は前記報知手段による報知動作が行われ、前記音声入力手段によって音声データが生成されたことを認識した後に、前記コンテンツデータを前記音声データに対応付けて記憶することを特徴とする請求項１記載のファイル制御装置。
【請求項３】
コンテンツデータと、当該コンテンツデータのタイトルを示すタイトルデータと、音声データとを対応付けて記憶する記憶手段と、
前記音声データが入力される音声データ受付手段と、
前記音声データ受付手段に入力された音声データと一致するものを前記記憶手段から検索し、検索された音声データと対応するコンテンツデータを出力する出力手段と
を備えることを特徴とするファイル制御装置。
【発明の詳細な説明】
【技術分野】
【０００１】
本発明は、ファイルの保存、検索、アクセス制御等のファイル制御を行うための技術に関する。
【背景技術】
【０００２】
パーソナルコンピュータや携帯電話端末、ボイスレコーダー等のコンピュータ装置においては、画像データや音声データ、ドキュメントデータ等がファイル単位で保存または管理されている。この場合、コンピュータ装置のキーボード等により入力されるテキストデータや、コンピュータ装置が自動で生成したタイムスタンプ（日付、時刻等）を示すテキストデータがファイルを識別するファイル名として用いられている。
【０００３】
ところで、コンピュータ装置が自動で生成するファイル名は、機械的、無機的な文字列となることが多く、使用者がそのファイル名からファイルの内容を思い出すことが困難なために、所望のファイルを見つけ出すことができないという問題があった。
また、ユーザがファイル名を入力する場合は、ファイル名に有る程度の意味を持たせることができるので、上述した問題は緩和されるが、ファイル名の文字数は限られていることが多く、本来残したい意味内容を含めたファイル名にすることができないことが多い。そのため、上述の場合と同様に所望のファイルがなかなか見つけられないことが多かった。
このような場合は、ユーザは、いちいちそのファイルを開いて、ファイルの内容を確認しなければ、そのファイルがどのようなものであるかを把握することができなかった。
更に、ファイルが楽曲データを記憶した楽曲ファイル等である場合は、ファイルを読み出して再生しても、曲の特徴部分（サビの部分など）を聞かないと、所望のファイルかどうか分からないことが多いため、そのファイルの最初の音声を確認しただけでは内容が把握できず、結局有る程度の時間をかけてそのファイルの内容を試聴しなければならず、所望のファイルを探すのに時間がかかってしまうという問題があった。
【０００４】
ところで、データ（ファイル）の蓄積および管理方法については種々のものが提案されている。例えば、特許文献１に記載の技術は、筆記面に書き込まれた画像を読み取り、読み取られた画像データと、その画像が書き込まれた際に発言された音声とを対応付けて記憶し、再生指示が行われると、画像と音声とが同期して再生されるようになっている。また、特許文献２に記載の技術では、音声データが画像データに添付されて蓄積され、キーワード等を入力することによって、音声データと画像データとを検索できるようになっている。
【特許文献１】特開２００３−２６０８９６号公報
【特許文献２】特開２０００−１６５５７７号公報
【発明の開示】
【発明が解決しようとする課題】
【０００５】
特許文献１、２に記載の技術では、ファイル内容として音声データが包含されているので、ファイル内容を再生すれば、再生される音声や画像から所望のファイルであるか否かを比較的早く判断することができることも予想される。
しかしながら、特許文献１，２に記載の技術においては、いずれも記録するファイルにファイル名を付けるという点においては、上述した従来の手法となんら代わりが無く、ファイルを読み出す際には、結局、ファイル名あるいはキーワードを頼りにするしかなかった。また、特許文献２ではキーワードを使って検索を補助することができるものの、ファイル名そのものの記憶が曖昧な場合には、キーワード検索の的中率も悪くなるから、結局、上記の問題を解決することはできない。
したがって、特許文献１，２に記載の技術では、所望のファイルを即座に検索することは困難である。
【０００６】
本発明は、上述した背景の下になされたものであり、ユーザが容易にファイルの内容を認識することができるファイル制御技術を提供することを目的とする。
【課題を解決するための手段】
【０００７】
上記課題を解決するため、本発明は、コンテンツデータが入力されるコンテンツデータ入力手段と、前記コンテンツデータのタイトルを示すタイトルデータを生成するタイトルデータ生成手段と、入力される音声に対応する音声データを生成する音声入力手段と、前記コンテンツデータを、前記タイトルデータと前記音声入力手段が生成する音声データとに対応付けて記憶する記憶手段と、前記記憶手段に記憶されたタイトルデータを表示する表示手段と、前記表示手段に表示されたタイトルデータのうちのいずれか一つを選択する選択手段と、前記選択手段により選択されたテキストデータに対応する音声データを前記記憶手段から読出し、読み出した音声データに基づいて音声を発音する発音手段とを備えることを特徴とするファイル制御装置を提供する。
本発明の好ましい態様においては、前記コンテンツデータを前記記憶手段に記憶させる旨のコマンド信号を受けると、前記音声入力手段への音声入力を促す報知動作を行う報知手段を有し、前記記憶手段は前記報知手段による報知動作が行われ、前記音声入力手段によって音声データが生成されたことを認識した後に、前記コンテンツデータを前記音声データに対応付けて記憶することを特徴とする。
【０００８】
また、本発明は、コンテンツデータと、当該コンテンツデータのタイトルを示すタイトルデータと、音声データとを対応付けて記憶する記憶手段と、前記音声データが入力される音声データ受付手段と、前記音声データ受付手段に入力された音声データと一致するものを前記記憶手段から検索し、検索された音声データと対応するコンテンツデータを出力する出力手段とを備えることを特徴とするファイル制御装置を提供する。
【発明の効果】
【０００９】
本発明によれば、ファイルを検索する際にユーザが容易にファイルの内容を認識することができる。
【発明を実施するための最良の形態】
【００１０】
＜Ａ：第１実施形態＞
＜Ａ−１：構成＞
図１は、本発明の一実施形態であるコンピュータ装置１の外観を示す斜視図であり、図２は、コンピュータ装置１のハードウェア構成を示すブロック図である。コンピュータ装置１は、いわゆるノート型のパーソナルコンピュータであり、ドキュメントファイルや音声データファイル等のファイル形式のデータ（以下、「ファイル」と称する）の記憶や読出が可能である。この場合、コンピュータ装置１は、ユーザによって入力される指示内容に応じて、ファイルの読み出しを行う。
【００１１】
図２において、１１は、例えばＣＰＵ（Central Processing Unit）等の演算装置や、ＲＯＭ（Read Only Memory）やＲＡＭ（Random Access Memory）などの各種メモリを備えた制御部である。１２は、例えばハードディスクなどの大容量記憶装置で構成された記憶部である。記憶部１２には、ＯＳ（Operating System）を制御部１１に実現させるためのＯＳソフトウェアプログラムや各種ソフトウェアプログラムが格納されており、制御部１１の演算装置は、ＲＯＭ等のメモリや記憶部１２に記憶されているソフトウェアプログラムを読み出して実行することにより、バス１３を介してコンピュータ装置１の各部を制御する。１４は、通信ネットワークに接続するためのモデムや各種通信装置を備えた通信部であり、制御部１１による制御の下で他の装置とデータ通信を行うようになっている。１５は、例えば液晶ディスプレイ等で構成される表示部である。１６は、キーボードやマウス等を備える操作部である。コンピュータ装置１のユーザは、表示部１５に表示された画像やメッセージを見ながら操作部１６を操作することにより、コンピュータ装置１に対して各種指示入力を行うことができる。１７は、音声を収音するマイクロフォンであり、制御部１１は、マイクロフォン１７が収音する音声からデジタル形式の音声データを生成する。１８は、制御部１１によって供給される音声データに基づいてスピーカ１９を駆動するオーディオ制御部である。
【００１２】
図２に示す記憶部１２には、多数のファイルが記憶されるファイル群記憶エリア１２ａが設けられている。ここで、コンピュータ装置１の記憶部１２に記憶されるファイルの構造について、図３を参照しつつ説明する。
本実施形態においては、一般的な文書ファイルや画像ファイルも取り扱うが、図３に示すように、文字タイトル情報ＴＩと音声タイトル情報ＡＩとコンテンツデータＤＡとの３つの情報が互いに対応付けられて構成されるファイルも取り扱う。このファイルは他の一般的なファイルとは拡張子によって区別される。図３において文字タイトル情報ＴＩは、ファイル名や、そのファイルが生成された日付等のテキスト形式のデータであり、ファイルを識別するためにファイルに付与される情報である。文字タイトル情報ＴＩは一般的なファイルに付随しているものと同様である。次に、音声タイトル情報ＡＩは、音声データであり、文字タイトル情報ＴＩと同様にファイルを識別するためにファイルに付与される情報である。この音声タイトル情報ＡＩは、一般的ファイルにはない付加的な情報である。コンテンツデータＤＡは、ファイルの内容を示すデータであり、文書、画像、音声データ、楽音データなどのファイルの本体となるデータである。
【００１３】
また、記憶部１２には、ＯＳの機能を拡張させるソフトウェア、いわゆるシェルが記憶されている。ここで、制御部１１がこのシェルを実行することによって実現する付加的機能について以下に説明する。
まず、制御部１１がＯＳソフトウエアプログラムを実行することよって、ファイルを示すアイコンが表示部１５に表示される。このとき、そのファイルの文字タイトル情報ＴＩが読み出されることにより、そのアイコン中にファイル名が表示される。これは一般的なパーソナルコンピュータにおいて行われていることと同様である。また、アイコンを表示せずに、文字タイトル情報ＴＩに基づく文字タイトルだけを一覧表示することもできる。
そして、ファイルのアイコンと文字タイトル（あるいは文字タイトルの一覧）が表示部１５に表示されている状態において、文字タイトル情報が表示されている領域にマウスポインタを移動して左クリックする操作が行われると、制御部１１は、シェルによって付加された機能により、文字タイトル情報と対応付けて記憶されている当該ファイルの音声タイトル情報ＡＩをファイル群記憶エリア１２ａから読み出し、読み出した音声タイトル情報ＡＩの示す音声をオーディオ制御部１８に供給する。これにより、当該音声タイトル情報ＡＩの内容である音声がスピーカ１９から出力される。
また、文字タイトル情報が表示されている領域にマウスポインタを移動してダブルクリックする操作が行われると、制御部１１は、文字タイトル情報と対応付けて記憶されたコンテンツデータＤＡをファイル群記憶エリア１２ａから読み出す。そして、読み出したコンテンツデータが、ドキュメントデータや画像データ等である場合は、制御部１１は、読み出したコンテンツデータを表示部１５に表示させる。読み出したコンテンツデータが音声データ等である場合は、制御部１１は、読み出した音声データをオーディオ制御部１８に供給し、これにより、スピーカ１９から音声が出力される。
このように、制御部１１は、文字タイトル情報ＴＩが表示されている領域において左クリックされた場合には、ファイルの音声タイトル情報ＡＩを読み出して出力し、ダブルクリックされた場合には、ファイルのコンテンツデータＤＡを読み出して出力する。
【００１４】
なお、シェルは、シェル用のソフトウェアをインストールすることによってＯＳに対して合体させるが、このシェルによって実現される機能を初めからＯＳソフトウエアに備えておいてもよい。また、上述した機能を実現するのは、シェルに限定されるものではなく、本実施形態において定義されるファイルを取り扱うアプリケーションソフトウェアにその機能設けてもよい。すなわち、制御部１１がこのアプリケーションソフトウェアを実行することによって、当該アプリケーションによって識別される拡張子を有したファイルに対してこの機能を実現するようにしてもよい。
【００１５】
＜Ａ−２：動作＞
次に、本実施形態の動作について説明する。
＜Ａ−２−１：ファイル保存＞
まず、コンピュータ装置１のユーザが、コンピュータ装置１の操作部１６を操作して図３に示すファイルを生成し、生成したファイルを記憶部１２に記憶（保存）させる動作について、図４を参照しつつ説明する。
図４は、コンピュータ装置１の制御部１１が行うファイル保存処理を示すフローチャートである。コンピュータ装置１のユーザは、コンピュータ装置１の操作部１６を操作して、ファイルを保存する旨の操作を行う。コンピュータ装置１の制御部１１は、ファイルを保存する旨の操作が行われたことを検知すると、その時点で起動されているアプリケーションの機能に従い、それまでの操作によって作成あるいは編集されたコンテンツデータＤＡを確定する（ステップＳＡ１）。続けて、制御部１１は、確定したコンテンツデータＤＡの文字タイトル情報ＴＩを生成する（ステップＳＡ２）。この文字タイトル情報ＴＩは、例えば日付や時刻等のテキスト形式のデータであり、制御部１１はファイルが保存されるタイミングでこの文字タイトル情報ＴＩを生成する。
【００１６】
次に、制御部１１は、表示部１５を制御して、音声タイトル情報ＡＩの入力を促すメッセージを表示部１５に表示させる。ここで、図５は、表示部１５に表示される画面の一例を示す図である。コンピュータ装置１のユーザは、表示部１５に表示されたメッセージの内容を確認し、操作部１６を用いて音声タイトル情報ＡＩを入力する旨の操作を行い、ファイルの内容を示す音声を発音する。この音声は、例えばユーザの声による発音であってもよく、楽器などの演奏による発音であってもよい。コンピュータ装置１の制御部１１は、音声タイトル情報ＡＩを入力する旨の操作が行われると、マイクロフォン１７によって収音された音の音声データを生成し、その音声データをそのファイルの音声タイトル情報ＡＩとする（ステップＳＡ３）。この処理によって、文字タイトル情報ＴＩと音声タイトル情報ＡＩとが付与されたファイルが生成されることになる。そして、制御部１１は、音声データが生成されたことを認識した後に、記憶部１２のファイル群記憶エリア１２ａに生成したファイルを記憶させる（ステップＳＡ４）。すなわち、文字タイトル情報ＴＩと音声タイトル情報ＡＩとコンテンツデータＤＡとを対応付けて記憶部１２に記憶させる。これらの処理によって、文字タイトル情報ＴＩと音声タイトル情報ＡＩとが付与された図３に示す形式のファイルが、記憶部１２に保存される。
【００１７】
＜Ａ−２−２：ファイル一覧表示＞
次に、ファイルの一覧表示動作について説明する。まず、コンピュータ装置１のユーザは、操作部１６を操作して、ファイル群記憶エリア１２ａに記憶されたファイルの一覧を表示させる旨の操作を行う。コンピュータ装置１の制御部１１は、ファイルの一覧を表示する旨の操作が行われたことを検知すると、記憶部１２に記憶されているファイルの文字タイトル情報の一覧を表示部１５に表示させる。
図６は、コンピュータ装置１の表示部１５に表示される画面の一例を示す図である。図示のように、複数のファイルについて、その文字タイトル情報が表示部１５に表示される。なお、このとき、図６に示すように、そのファイルの種類を示すアイコンを、文字タイトル情報と併せて表示部１５に表示させるようにしてもよい。
【００１８】
次に、コンピュータ装置１のユーザは、表示部１５に表示される画面を確認しながら、操作部１６を操作してファイルの音声タイトル情報ＡＩを再生する旨の操作を行う。これは、例えばファイルの文字タイトル情報が表示されている領域にマウスポインタを移動し左クリックする等の操作を行う。コンピュータ装置１の制御部１１は、その操作内容に従って、選択された文字タイトル情報と対応付けて記憶された音声タイトル情報ＡＩをファイル群記憶エリア１２ａから読み出し、読み出した音声タイトル情報ＡＩを、オーディオ制御部１８、スピーカ１９を介して発音させる。
【００１９】
一般に、文字タイトル情報ＴＩは日付や時刻等を示すテキストデータであるため、意味が希薄であり、そのテキストタイトルからファイルの内容を把握することは困難であることが多い。そのため、コンピュータ装置１のユーザは、そのファイルの文字タイトル情報を見ても、それがどのようなファイルであるかが分からなかったり、思い出せなかったりする場合が多々ある。
【００２０】
これに対し本実施形態においては、文字タイトル情報ＴＩに加えて、音声タイトル情報ＡＩをファイルに付与するようにし、コンピュータ装置１の制御部１１は、ファイルのファイル名（文字タイトル情報ＴＩ）の表示に併せて、音声タイトル情報ＴＩを発音する。ファイルの内容を示す音声を聞くことによって、コンピュータ装置１のユーザは、そのファイルがどのようなものであるかを容易に把握することが可能となる。具体的には、例えば、保存時における音声の抑揚な声の質などから、そのファイルを記録したときの状況や感情（嬉しい、悲しい、元気、弱気・・・）などを具体的に思い出すことができ、その状況や感情の状態からファイル内容の特定が容易になる。一例として、仮に風邪声で記録した場合は、風邪をひいていたその当時の状況などが思い出され、同時にそのときに作業していたファイルがどのようなものだったという記憶が手繰られてくる。つまり、そのときのユーザの声の調子等によって音声タイトル情報はユニークなものとなり、ユーザにとっては後に容易に思い出し易いものとなる。
【００２１】
＜Ｂ：第２実施形態＞
次に、本発明の第２実施形態について説明する。
＜Ｂ−１：構成＞
図７は、本実施形態に係るシステムの全体構成を示すブロック図である。図に示すように、このシステムは、コンピュータ装置２とサーバ装置３とが、通信ネットワークにより接続されて構成される。コンピュータ装置２は、例えばパーソナルコンピュータ等の装置であり、ドキュメントファイルや音声データファイル等のファイルを生成する。サーバ装置３は、コンピュータ装置２が生成したファイルを、通信ネットワークを介して受信して蓄積および管理する装置である。なお、実際にはより多くのコンピュータ装置が接続されるが、説明の簡略化のために１つのコンピュータ装置２だけを示している。
【００２２】
図８は、コンピュータ装置２の構成を示すブロック図である。図８に示すコンピュータ装置２の構成が、第１実施形態である図１に示したコンピュータ装置１のそれと異なる点は、記憶部１２にファイル群記憶エリア１２ａを備えていない点であり、それ以外の構成要素は、第１実施形態のコンピュータ装置１と同様である。そのため、以下の説明においては、コンピュータ装置１と同様の構成要素については同じ符号を付与してその説明を省略する。
【００２３】
次に、サーバ装置３の構成について図９を参照しつつ説明する。図９は、サーバ装置３の構成を示すブロック図である。図において、３１は、例えばＣＰＵ等の演算装置を備えた制御部である。３２は、ＲＡＭやＲＯＭ、あるいはハードディスク等の記憶装置を備える記憶部であり、サーバ装置３の各部を動作させるための各種プログラムを記憶している。制御部３１は、記憶部３２に格納されているプログラムを読み出して実行することにより、バス３３を介してサーバ装置３の各部を制御する。３４は、各種通信装置等を備える通信部であり、制御部３１の制御の下、コンピュータ装置２とのデータの授受を行う。
【００２４】
図９に示す記憶部３２には、多数のファイルが記憶されるファイル群記憶エリア３２ａが設けられている。このファイル群記憶エリア３２ａに記憶されるファイルの構造は、第１実施形態に示したそれと同様であるため、ここではその説明を省略する。
【００２５】
＜Ｂ−２：動作＞
次に、本実施形態の動作について説明する。
＜Ｂ−２−１：ファイル保存＞
まず、ファイルの保存動作について説明する。コンピュータ装置２のユーザは、コンピュータ装置２の操作部１６を操作して、ファイルを生成する旨の操作を行う。コンピュータ装置２の制御部１１は、第１実施形態と同様の処理（図４のステップＳＡ１〜ステップＳＡ３の処理）を行ってファイルを生成し、生成したファイルを、通信部１４を介してサーバ装置３に送信する。なお、このとき、コンピュータ装置２の制御部１１は、生成したファイルの文字タイトル情報ＴＩと音声タイトル情報ＡＩとを対応付けて記憶部１２に記憶させる。
【００２６】
サーバ装置３の制御部３１は、通信部３４を介してファイルを受信すると、ファイル群記憶エリア３２ａに受信したファイルを記憶させる。
【００２７】
＜Ｂ−２−２：ファイル一覧表示＞
次に、ファイルの一覧表示動作について説明する。コンピュータ装置２のユーザは、操作部１６を操作して、ファイルの一覧を表示させる旨の操作を行う。コンピュータ装置２の制御部１１は、ファイルの一覧を表示する旨の操作が行われたことを検知すると、例えば図６に示すような、記憶部１２に記憶された文字タイトル情報の一覧を表示部１５に表示させる。
【００２８】
コンピュータ装置２のユーザは、表示部１５に表示される画面を確認しながら、操作部１６を操作してファイルの音声タイトル情報ＡＩを再生する旨の操作を行う。これは、例えばファイルの文字タイトル情報が表示されている領域にマウスポインタを移動し左クリックする等の操作を行う。コンピュータ装置２の制御部１１は、その操作内容に従って、そのファイルの音声タイトル情報ＡＩをオーディオ制御部１８、スピーカ１９を介して発音させる。このように、発音される音声タイトル情報を聴くことによって、コンピュータ装置２のユーザは、取得したいファイルを特定することができる。
【００２９】
＜Ｂ−２−３：ファイル取得＞
次に、ファイルの取得動作について説明する。コンピュータ装置２のユーザは、操作部１６を操作して、ファイルを取得する旨の操作を行う。これは、例えば、取得したいファイルの文字タイトル情報が表示されている領域にマウスポインタを移動しダブルクリックする等の操作を行う。コンピュータ装置２の制御部１１は、ファイルを取得する旨の操作が行われたことを検知すると、指定されたファイルの文字タイトル情報ＴＩと音声タイトル情報ＡＩとを記憶部１２から読み出し、読み出した文字タイトル情報ＴＩと音声タイトル情報ＡＩとを通信部１４を介してサーバ装置３に送信する。
【００３０】
サーバ装置３の制御部３１は、通信部３４を介して、文字タイトル情報ＴＩと音声タイトル情報ＡＩとを受信すると、それらと一致する文字タイトル情報ＴＩおよび音声タイトル情報ＡＩを有するファイルを、記憶部３２に記憶されているファイル群記憶エリア３２ａから検索する。一致するものが検索された場合は、そのファイルに対するアクセスを許可する。すなわち、検索されたファイルを、通信部３４を介してコンピュータ装置２に送信する。
逆に、一致するものが検索されなかった場合は、ファイルに対するアクセスを拒否する。すなわち、文字タイトル情報ＴＩが一致しても、音声タイトル情報ＡＩが一致しない場合は、そのファイルへのアクセスが拒否されることになる。このように、本実施形態においては、文字タイトル情報ＴＩに加えて音声タイトル情報ＴＩが認証のための情報として用いられる。
【００３１】
コンピュータ装置２の制御部１１は、サーバ装置３からファイルを受信すると、受信したファイルのコンテンツデータを、例えば表示部１５に表示させたり、オーディオ制御部１８、スピーカ１９を介して音声出力させたり、または通信ネットワークを介して接続されたプリンタに送信して印刷出力させたり、または記憶部１２に記憶させたりすることによって、ファイルを出力させる。
【００３２】
ファイルへのアクセスを行うためのキーがファイル名（文字タイトル情報ＡＩ）のみである場合は、文字データでは文字数が限られていることもあり、偶然に一致することもあり得る。また、推定して作成した文字データによってアクセスが可能になってしまうおそれもある。一方、音声データが偶然に一致する確率は皆無であり、推定等によって似せた音声データを作ることも難しい。本実施形態においては、音声タイトル情報ＡＩが一致すすることを条件にしてコンテンツへのアクセスを許可しているので、そのセキュリティは極めて高い。音声タイトル情報ＡＩの一致確認における分析方法は種々あり、波形の全部一致、フォルマント一致、周波数成分の一致など種々のアルゴリズムが考えられる。いずれの方法を用いても、分析を細かくすれば確認の精度は著しく高くなるので、記憶部３２に記憶されているファイルが悪意の第３者によって容易にアクセスされてしまうという事態を防ぐことが可能となる。
【００３３】
また、コンピュータ装置は記憶領域が限られており、大量のデータを記憶することができない場合が多いが、本実施形態においては、ファイルをサーバ装置３で蓄積および管理するので、大量のデータを保存しておくことができ、かつ、コンピュータ装置２には文字タイトル情報と音声タイトル情報だけを保存しておけばよいので、コンピュータ装置２の記憶領域を多く使うことはない。また、ユーザは、文字タイトル情報（または音声タイトル情報）を選択するという簡単な操作を行うだけで、ファイルをサーバ装置３からダウンロードすることができる。
【００３４】
本実施形態においては、例えば、他のユーザに、あるファイルに対するアクセスを許可したい場合は、そのファイルの音声タイトル情報ＡＩを与えるようにすればよい。このようにすれば、そのユーザは、与えられた音声タイトル情報ＡＩをキーとして照合可能となるから、そのファイルにアクセスすることが可能となる。このようにして、アクセスの自由度を増すこともできる。
【００３５】
＜Ｃ：変形例＞
以上、本発明の実施形態について説明したが、本発明は上述した実施形態に限定されることなく、他の様々な形態で実施可能である。以下にその一例を示す。
（１）上述した実施形態においては、図３に示すデータ構造を有するファイルを記憶部に記憶させておくようにした。ファイルの保存形式はこれに限定されるものではなく、例えば、図１０に示すように、文字タイトル情報と、音声タイトル情報と、コンテンツデータとの各項目を互いに関連付けてテーブルに記憶させておくようにしてもよい。図１０において、「音声タイトル情報識別子」は、例えば音声タイトル情報が記憶された領域の先頭アドレスであってもよく、または、音声タイトル情報のファイル名であってもよい。または、音声タイトル情報本体をこのテーブルに記憶させておくようにしてもよい。このように実質的にコンテンツデータＤＡと音声タイトル情報ＴＩとが関連していればよい。
【００３６】
（２）上述した実施形態においては、文字タイトル情報ＴＩとして、そのコンテンツデータＤＡが生成された日付や時刻等のテキスト形式のデータを制御部１１が生成するようにしたが、文字タイトル情報はこれに限定されるものではなく、例えば、ユーザを識別するためのユーザＩＤや従業員番号等の所定の識別情報を文字タイトル情報に含めるようにしてもよい。または、例えば、表示部１５にファイル名の入力を促す旨のメッセージを表示させ、ユーザによって入力されたテキストデータを文字タイトル情報ＴＩとして用いるようにしてもよい。または、日付や時刻とユーザ入力によるテキストデータとを併用して用いるようにしてもよく、文字タイトル情報ＴＩの生成方法は設計等に応じて変更可能である。
【００３７】
（３）上述した実施形態においては、ファイルを生成するコンピュータ装置として、パーソナルコンピュータを例に挙げたが、コンピュータ装置はこれに限定されるものではなく、例えば、携帯電話端末やＩＣレコーダー等であってもよい。なお、本発明は、キーボードやマウス等の入力手段を有していない携帯電話端末やＩＣレコーダー等の小型の装置においても好適に実施することが可能である。具体的には、例えば、音声が入力されるマイクロフォンを備えた携帯電話端末やＩＣレコーダー等の装置において、ファイルを保存する際に、文字タイトル情報を装置の制御部が自動生成するようにし、音声タイトル情報をマイクロフォンから音声入力することによって、上述した第１実施形態と同様に、文字タイトル情報と音声タイトル情報とを有するファイルを生成することができる。また、サーバ装置からファイルを取得する際には、例えば、上下を選択する上下キー等を操作してファイルを選択するようにし、選択されたファイルの音声タイトルを音声出力することによって、装置のユーザは、文字タイトル情報からはファイルの内容が分かり難い場合であっても、出力される音声タイトルを聞いてファイルの内容を容易に認識することが可能となる。これらの操作は、キーボード等を有さない小型の装置においても容易に行うことが可能である。
【００３８】
（４）上述した実施形態においては、音声タイトル情報ＡＩの入力を促すメッセージを表示部１５に表示させるようにしたが、音声タイトル情報の入力を促す報知動作は、表示に限定されるものではなく、例えば、音声メッセージや報知音を音声出力して報知するようにしてもよい。すなわち、ユーザに音声タイトル情報の入力を促す報知動作であればどのようなものであってもよい。
【００３９】
（５）上述した実施形態においては、ドキュメントファイルや音声データファイル等をファイルの一例として挙げたが、ファイルの種類はこれに限定されるものではなく、例えば、画像ファイル等、任意の種類のファイルを用いることが可能である。
【００４０】
（６）上述した実施形態においては、コンピュータ装置のマイクロフォンから入力される音声を音声タイトル情報とするようにした。この音声タイトル情報は、音声データをサンプリングして生成するようにしてもよく、または所定のアルゴリズムで圧縮するようにしてもよい。音声タイトルについてどのくらいの密度のデータにするかは、設計等に応じて変更可能である。
また、音声タイトル情報の照合や解析を行う際に、複数のアルゴリズムからいずれか一つを選択できるようにしてもよい。
または、音声を所定のアルゴリズムで変形する特殊マイクをコンピュータ装置に設けるようにし、このマイクに入力される音声を所定のアルゴリズムで変形して生成した音声データを音声タイトル情報として用いるようにしてもよい。
【００４１】
（７）上述した実施形態において、コンピュータ装置に画像（または動画像）を撮影するカメラ機能を設ける構成とし、コンピュータ装置がファイルを保存する際に画像を撮影し、撮影した画像をサムネイル化してタイトルデータとして利用するようにしてもよい。この場合、コンピュータ装置の制御部は、ファイルの種類を示すアイコンに代えて、このサムネイルを表示部に表示させる。このようにすれば、コンピュータ装置のユーザは、表示されるサムネイルでファイルを選択し、音声タイトルが発音されることによって、ファイルの内容を確認することができる。
【００４２】
（８）上述した第２の実施形態においては、コンピュータ装置２の制御部１１は、文字タイトル情報と音声タイトル情報とを記憶部１２に記憶させておき、ファイルを取得する場合には、記憶部１２に記憶された文字タイトル情報と音声タイトル情報とを記憶部１２から読み出して、サーバ装置に送信するようにした。これに代えて、コンピュータ装置のマイクロフォン１７からユーザが音声を入力し、入力された音声の声紋等を照合することによって、ファイルへのアクセスを許可するようにしてもよい。
なお、この場合、コンピュータ装置に呼気センサを備えたマイクロフォンを設けるようにしてもよい。音声照合するときに、自分の音声データが他人に傍受されると、他人でもデータを取得できるという問題があるが、呼気センサーマイクで音声タイトルを入力すると、音声を録音した機器から発音されたのか、人がライブでしゃべったのかを認識することができる。
【図面の簡単な説明】
【００４３】
【図１】本発明の第１実施形態であるコンピュータ装置の外観を示す図である。
【図２】同実施形態のコンピュータ装置の構成を示すブロック図である。
【図３】同実施形態に係るファイルのデータ構造を示す図である。
【図４】同実施形態のコンピュータ装置の処理の流れを示すフローチャートである。
【図５】同実施形態の音声タイトル入力画面の一例を示す図である。
【図６】同実施形態のコンピュータ装置が表示するファイル一覧画面の一例を示す図である。
【図７】本発明の第２実施形態に係るシステムの構成を示すブロック図である。
【図８】同実施形態に係るコンピュータ装置の構成を示すブロック図である。
【図９】同実施形態に係るサーバ装置の構成を示すブロック図である。
【図１０】本発明の変形例に係るテーブルのデータ構造の一例を示す図である。
【符号の説明】
【００４４】
１，２…コンピュータ装置、３…サーバ装置、１１，３１…制御部、１２，３２…記憶部、１３，３３…バス、１４，３４…通信部、１５…表示部、１６…操作部、１７…マイクロフォン、１８…オーディオ制御部、１９…スピーカ。
【図１】
2007148740.tif 000003
【図２】
2007148740.tif 000004
【図３】
2007148740.tif 000005
【図４】
2007148740.tif 000006
【図５】
2007148740.tif 000007
【図６】
2007148740.tif 000008
【図７】
2007148740.tif 000009
【図８】
2007148740.tif 000010
【図９】
2007148740.tif 000011
【図１０】
2007148740.tif 000012